(57)【要約】  本発明は、バルブアセンブリ（１０）が取り付けられ分配キャリアガス（１４０）で充填されたディスペンサ容器（９０）を備えた、ディスペンサ（２０）に関する。分配するための成分（１００）は、成分包含リザーバ（１１０／１５０、１１０／１６０）に包含され、成分包含リザーバ（１１０／１５０）は、第１および第２の管（８２、８４）を介してディスペンサ容器（９０）およびディップ管（８０）に動作可能に接続され、それによってバルブアセンブリ（１０）が作動した際に、成分（１００）およびキャリア分配ガス（１４０）は、第１の管（８２）および第２の管（８４）それぞれに沿って移動し、アクチュエータ噴霧ノズル（２００）を介してディスペンサ容器（９０）から出る前に、バルブアセンブリ（１０）の中で混ざる。代替的に、キャリア分配ガス（１４０）は第２の管（８４）に沿って成分包含リザーバ（１１０／１６０）の中に移動し、成分（１００）を第１の管（８２）に沿って運び、そこでそれらは、アクチュエータ噴霧ノズル（２００）を介してディスペンサ容器（９０）から出る前に、バルブアセンブリ（１０）の中で混ざる。【選択図】図２Ｂ
2021533048.tif 000002
【特許請求の範囲】
【請求項１】
バルブアセンブリ（１０）が取り付けられ分配キャリアガス（１４０）で充填されたディスペンサ容器（９０）を備えた、ディスペンサ（２０）であって、
ｉ）取付カップ（３０）、
ｉｉ）１つまたは複数のガスケット（４２、４４）、
ｉｉｉ）バルブシート（５０）、
ｉｖ）バネ（６０）、
ｖ）ハウジング（７０）、および
ｖｉ）ディップ管（８０）
を備え、
前記ディスペンサ容器（９０）は、活性炭（１３０）または他の吸着材で充填され、分配するための成分（１００）は成分包含リザーバ（１１０／１５０、１１０／１６０）に包含され、
前記成分包含リザーバ（１１０／１５０）は、第１および第２の管（８２、８４）を介して、前記ディスペンサ容器（９０）および前記ディップ管（８０）に動作可能に接続され、それによって前記バルブアセンブリ（１０）が作動した際に、前記成分（１００）およびキャリア分配ガス（１４０）は、前記第１の管（８２）および前記第２の管（８４）それぞれに沿って移動し、アクチュエータ噴霧ノズル（２００）を介して前記ディスペンサ容器（９０）から環境または対象物へ出る前に、前記バルブアセンブリ（１０）の中で混ざるか、または
前記キャリア分配ガス（１４０）は前記第２の管（８４）に沿って前記成分包含リザーバ（１１０／１６０）の中に移動し、前記成分（１００）を前記第１の管（８２）に沿って運び、そこでそれらは、前記アクチュエータ噴霧ノズル（２００）を介して前記ディスペンサ容器（９０）から環境または対象物へ出る前に、前記バルブアセンブリ（１０）の中で混ざる、
ことを特徴とする、ディスペンサ（２０）。
【請求項２】
前記バルブアセンブリの前記ディップ管（８０）は、ディスペンサ容器（９０）内に設置された前記第１および第２の管（８２、８４）に分かれ、前記ディスペンサ内に設置された前記第１の管（８２）は前記成分（１００）包含リザーバ（１１０／１５０）に接続され、前記バルブが作動した際に前記成分が分配されるのを可能にし、前記第２の管（８４）は、圧力が加えられた前記分配キャリアガス（１４０）が解放されたときに活性炭（１３０）が前記管の中に通るのを防止するためのフリットまたはフィルタ（１２０）を備える、請求項１に記載のディスペンサ。
【請求項３】
前記成分包含リザーバ（１１０）はバッグまたはポーチ（１５０）である、請求項２に記載のディスペンサ。
【請求項４】
前記バルブアセンブリの前記ディップ管（８０）は、第１のコネクタ（１８２）および第２のコネクタ（１８４）を備えた蓋（１８０）を介して、前記成分（１００）包含リザーバまたは容器（１１０／１６０）に接続され、前記第１のコネクタ（１８２）は前記第１の管（８２）に接続し、前記第１の管（８２）は前記バルブアセンブリ（１０）を前記成分包含（１１０）に接続し、前記第２のコネクタは、活性炭（１３０）が前記第２の管（８４）に入るのを防止するためのフリットまたはフィルタ（１２０）を備えた前記第２の管（８４）を前記成分包含リザーバに接続し、それによって、作動した際に、前記圧力がかけられた分配キャリアガス（１４０）が前記成分（１００）を前記成分包含リザーバ（１１０／１６０）から追い出すのを可能にする、請求項１に記載のディスペンサ。
【請求項５】
前記成分包含リザーバ（１１０）は、昇華性成分（１００）、または前記成分（１００）がその上に吸収される成分吸収材（１７０）で充填された、開いた容器（１６０）を備え、前記開いた容器（１６０）は前記蓋（１８０）によって閉じられる、請求項４に記載のディスペンサ。
【請求項６】
３本以上の管と、異なる成分（１００）を含む少なくとも２つの成分包含リザーバ（１１０）とを備える、請求項１から５のいずれかに記載のディスペンサ。
【請求項７】
計量デバイスをさらに備える、請求項１から６のいずれかに記載のディスペンサ。
【請求項８】
スペーサをさらに備える、請求項７に記載のディスペンサ。
【請求項９】
前記分配キャリアガスは、亜酸化窒素、または空気、窒素、酸素、二酸化炭素、もしくはアルゴンなどの気中ガスである、請求項１から８のいずれかに記載のディスペンサ。
【請求項１０】
前記気中ガスは二酸化炭素である、請求項９に記載のディスペンサ。
【請求項１１】
液化ガス推進剤および／または溶媒を含まない、請求項１から１０のいずれかに記載のディスペンサ。
【請求項１２】
前記活性成分は、芳香物、風味、フェロモン、殺虫剤、栄養補給食品、または薬剤成分である、請求項１から１１のいずれかに記載のディスペンサ。
【請求項１３】
請求項１から３のいずれかに記載のディスペンサ（２０）から成分（１００）を送出する方法であって、前記成分（１００）は、圧力下で分配キャリアガス（１４０）と共に成分包含リザーバ（１１０）から解放され、バルブアセンブリ（１０）が作動した際に前記分配キャリアガス（１４０）も解放され、前記成分（１００）およびキャリア分配ガス（１４０）は、第１の管（８２）および第２の管（８４）それぞれに沿って移動し、アクチュエータ噴霧ノズル（２００）を介してディスペンサ容器（９０）から環境または対象物へ出る前に、前記バルブアセンブリ（１０）の中で混ざる、方法。
【請求項１４】
請求項１または４から６のいずれかに記載のディスペンサ（２０）から成分（１００）を送出する方法であって、前記成分（１００）は、圧力下で前記分配キャリアガス（１４０）と共に前記成分包含リザーバ（１１０）から解放され、前記バルブアセンブリ（１０）が作動した際に前記分配キャリアガス（１４０）も解放され、前記キャリア分配ガス（１４０）は、前記第２の管（８４）に沿って成分包含リザーバ（１１０／１６０）の中に移動し、前記成分（１００）を前記第１の管（８２）に沿って運び、そこでそれらは、前記アクチュエータ噴霧ノズル（２００）を介して前記ディスペンサ容器（９０）から環境または対象物へ出る前に、前記バルブアセンブリ（１０）の中で混ざる、方法。
【請求項１５】
ディスペンサ（２０）のためのバルブアセンブリ（１０）であって、
ｉ）取付カップ（３０）、
ｉｉ）１つまたは複数のガスケット（４２、４４）、
ｉｉｉ）バルブシート（５０）、
ｉｖ）バネ（６０）、
ｖ）ハウジング（７０）、および
ｖｉ）ディスペンサ容器（９０）内に設置された少なくとも２本の管（８２、８４）に分かれる、ディップ管（８０）
を備え、
前記ディスペンサ内に設置された第１の管（８２）は、成分（１００）包含リザーバ（１１０／１５０）に接続され、前記バルブが作動した際に前記成分が分配されるのを可能にし、および第２の管（８４）は、圧力をかけられた分配キャリアガス（１４０）が解放されたときに前記管の中に活性炭（１３０）が通るのを防止するためのフリットまたはフィルタ（１２０）を備えること、を特徴とするバルブアセンブリ（１０）。
【請求項１６】
前記成分包含リザーバ（１１０）はバッグまたはポーチ（１５０）である、請求項１５に記載のバルブアセンブリ。
【請求項１７】
ディスペンサ（２０）のためのバルブアセンブリ（１０）であって、
ｉ）取付カップ（３０）、
ｉｉ）１つまたは複数のガスケット（４２、４４）、
ｉｉｉ）バルブシート（５０）、
ｉｖ）バネ（６０）、
ｖ）ハウジング（７０）、および
ｖｉ）ディップ管（８０）
を備え、
前記ディップ管（８０）は、第１のコネクタ（１８２）および第２のコネクタ（１８４）を備えた蓋（１８０）を介して、成分（１００）包含リザーバ（１１０／１６０）に接続され、前記第１のコネクタ（１８２）は第１の管（８２）に接続し、前記第１の管（８２）は前記バルブアセンブリ（１０）を前記成分包含リザーバ（１１０）に接続し、前記第２のコネクタは、活性炭（１３０）が管に入るのを防止するためのフリットまたはフィルタ（１２０）を備えた第２の管（８４）を前記成分包含リザーバに接続し、それによって、作動した際に、圧力がかけられた分配キャリアガス（１４０）が前記成分（１００）を前記成分包含リザーバ（１１０／１６０）から追い出すのを可能にすることを特徴とする、バルブアセンブリ（１０）。
【請求項１８】
前記成分包含リザーバ（１１０）は、昇華性成分（１００）、または成分（１００）がその上に吸収される成分吸収材（１７０）で充填された、開いた容器（１６０）を備え、前記開いた容器は前記蓋（１８０）によって閉じられる、請求項１７に記載のバルブアセンブリ。
【請求項１９】
アクチュエータ（２００）をさらに備える、請求項１８に記載のバルブアセンブリ。
【請求項２０】
３本以上の管と、異なる成分（１００）を含む少なくとも２つの成分包含リザーバ（１１０）とを備える、請求項１５から１９のいずれかに記載のバルブアセンブリ。
【請求項２１】
計量デバイスをさらに備える、請求項１５から２０のいずれかに記載のバルブアセンブリ。
【発明の詳細な説明】
【技術分野】
【０００１】
[0001]本発明は、業界でバッグオンバルブ（ＢＯＶ）技術と呼ばれる送出技術の改善、および新規のバルブアセンブリと共に使用するためのディスペンサに関する。ディスペンサ、および送出の方法は、一般に気中ガスである分配キャリアガスを利用し、それが通常は活性炭に吸着される。
【背景技術】
【０００２】
[0002]世界的なバッグオンバルブ市場は、２０１６年で３５６．５百万ＵＳドルの価値があり、消費者および製造者の中で、そのコスト効率に関する認識が高まっているため、成長している。バッグオンバルブ技術は製品の浪費を最小限に抑えることによって金銭に対する価値を保証するため、消費者は、包装解決策としてのバッグオンバルブ技術に向かう強い傾倒を示している。したがって、この技術はいくつかの最高級製品に使用されている。さらに別の顕著な利益は、そのエアレスバッグ、および製品と推進剤とを分離する包装方法に起因して、この技術がもたらす環境的利益である。
【０００３】
[0003]製造者にとって、バッグオンバルブを選好することは、防腐剤をあまり含まないかまたは全く含まない、酸素に反応しやすい製品の、より長い保存期間を約束する。さらに、様々なタイプの粘性製品または液状製品は、それらが水性または溶媒系であり得る事実に関わらず、バッグオンバルブ技術を使用して包装することができる。製品に推進剤を含まないことが、爆発または火災の危険を減少させるので、この技術に投資する製造者の数も増えている。効率的な充填プロセスも、さらなる利点である。
【０００４】
[0004]しかし、使用される推進剤、および例えばバッグを完全に空にするのを不可能にする動作中の圧力低下による、制限および困難が存在する。
[0005]エアロゾルから高い温暖化係数（ＧＷＰ）の液化ガス推進剤を除去する規制が、導入されている。
【０００５】
[0006]本発明のディスペンサは、好ましくは気中ガス、特にＧＷＰを有さないことを意味するＣＯ２を使用する。これは、二酸化炭素のＧＷＰが１である一方で、二酸化炭素は大気から導出されることから、使用上の正味の影響はゼロであるためである。
【０００６】
[0007]これは、新しい液化ガス推進剤（ＨＦＯ−１２３４ｚｅ）とは対照的である。新しい液化ガス推進剤は、大気中で短時間内に分解するため低ＧＷＰであるが、分解物は汚染物質である。
【０００７】
[0008]フロン系推進剤は、規制変化の終わりのないサイクルを受ける。しかし、気中ガスは、ＲＥＡＣＨ規制などの法律から免除されている。
[0009]英国では過去１２年にわたり、揮発性有機化合物（ＶＯＣ）排出量を３０％削減している。しかしその際、エアロゾルからの排出量は１０％増加し、それは、この期間にわたる人口規模の増加と、大まかに一致する。しかし２００５年から、エアロゾルからの排出量は４．７％から７．９％（２０１７年）に増加している。英国政府は、２０３０年までに全ＶＯＣ排出量を３８％減少させることを望み、英国エアロゾル製造者協会（ＢＡＭＡ：Ｂｒｉｔｉｓｈ  Ａｅｒｏｓｏｌｓ  Ｍａｎｕｆａｃｔｕｒｉｎｇ  Ａｓｓｏｃｉａｔｉｏｎ）は、エアロゾルのＶＯＣ排出量を減少させる計画の策定を望み、その一方で、製品の性能、消費者の支持、および安全を高いレベルに維持することを望む。
【０００８】
[0010]フロン系推進剤を継続して使用する理由は、圧縮した気中ガスが、十分な品質で保管して、成分をバッグオンバルブのエアロゾル缶から完全に放出させることができないからである。
【０００９】
[0011]ガス貯蔵体積を向上させるために出願者が使用した活性炭は、通常サイズのポーチの内容物を、完全に放出させるのを可能にする。
[0012]さらに、溶媒および液化ガス推進剤の使用を回避することによって、溶媒の乱用が緩和される。
【００１０】
[0013]溶媒として水を使用するエアロゾル、および圧縮空気の推進剤は、性能が低く（力が低く）、低い水煙の湿った噴霧を生成する。対照的に、本明細書で説明するディスペンサは、良好な力および水煙を伴う、ほとんど乾燥した噴霧を生成する。
【００１１】
[0014]加えて、従来のエアロゾルがディップ管の逆転を受けて、過剰な推進剤を解放するのに対して、本明細書で説明するディスペンサは、逆転の課題を回避する。
[0015]さらに、通常のバッグオンバルブ技術は、バッグ内の活性成分をエアロゾル化できないのに対し、本明細書で説明するディスペンサは、エアロゾル化（エアロゾル形態への分散）を可能にする。
【００１２】
[0016]世界市場で入手可能な製品は、エアロゾルＢＯＶ、標準ＢＯＶ、および非噴霧／低圧ＢＯＶである。これらのうち、エアロゾルＢＯＶは、２０２４年の終わりまでに６０％を上回る世界市場を獲得するものと予測される。
【００１３】
[0017]四大企業は、ＡｐｔａｒＧｒｏｕｐ，Ｉｎｃ．、Ｃｏｓｔｅｒ  Ｔｅｃｎｏｌｏｇｉｅ  Ｓｐｅｃｉａｌｉ  Ｓ．ｐ．Ａ、Ｔｏｙｏ＆Ｄｅｕｔｓｃｈｅ  Ａｅｒｏｓｏｌ  Ｇｍｂｈ、およびＳｕｍｍｉｔ  Ｐａｃｋａｇｉｎｇ  Ｓｙｓｔｅｍ，Ｉｎｃ．である。これらの会社は合わせて、２０１５年における世界市場の約３９％のシェアを保有した。
【００１４】
[0018]バルブ、またはバルブアセンブリは、雄バルブまたは雌バルブのいずれかを備え、アルミニウム、ブリキ、スチール、もしくはプラスチックで作られたディスペンサ容器またはキャニスタに、接続または圧着される。一般のディスペンサ容器の容量は、３０ｍｌ未満、３０〜１００ｍｌ、１００〜２７５ｍｌ、２７５〜５００ｍｌ、および５００ｍｌ超過、のサイズカテゴリのうちの１つに分類される。
【００１５】
[0019]典型的な用途は、以下の製品タイプを含む。
例えば防臭剤および制汗剤などの化粧品およびパーソナルケア製品、医薬製品、例えば芳香剤などのホームケア製品、洗浄剤、例えばクリームおよびチーズなどの食料および飲料製品、および例えば塗料などの自動車および産業製品である。
【００１６】
[0020]これら従来の、エアロゾルディスペンサなどのバッグオンバルブのディスペンサは、通常以下の２つのタイプのうち１つの推進剤を包含する。
ｉ）主に炭化水素系である液化ガス推進剤（例えばプロパン／ｎ−ブタン／イソブタンのブレンドなど）、または
ｉｉ）ハイドロフルオロカーボン系（例えばＨＦＣ−１３４ａ、−１５２ａ、またはＨＦＯ−１２３４ｚｅ）である。
【００１７】
[0021]炭化水素推進剤を取り巻く否定的な面は公知である。なぜならこれらの化合物は可燃性が高く、吸入弊害の対象であって、室内の空気の品質を損ねる起因となる揮発性有機化合物（ＶＯＣ）であるからである。
【００１８】
[0022]ハイドロフルオロカーボンも、エアロゾル用途において課題が多く、例えばＨＦＣ−１３４ａは、その本質的に高いＧＷＰのために、多くの用途における使用から法的に漸次廃止されている。
【００１９】
[0023]ＧＷＰ＜１５０のための、新たなＥＵのＦガス規制を満たす２つの濃縮ガス化合物として、以下が挙げられる。
ＨＦＣ−１５２ａ（１，１−ｄｉｆｌｕｏｒｏｅｔｈａｎｅ）、および
ＨＦＯ−１２３４ｚｅ（１，３，３，３−ｔｅｔｒａｆｌｕｏｒｏｐｒｏｐ−２−ｅｎｅ）である。
【００２０】
[0024]残念ながら、ＨＦＣ−１５２ａ（ＧＷＰ−１２０）は、可燃性が高いものと指定され、ＨＦＯ−１２３４ｚｅ（ＧＷＰ−６）は、２８℃を上回ると可燃性であることが認められる。これはさらに、非常に高価であることが多い。
【００２１】
[0025]当然ながら、ＨＦＣまたはＨＦＯの燃焼が存在する場合、非常に有毒かつ腐食性であるフッ化水素の解放も存在する。加えて、フッ素炭化水素（ＨＦＣ）、特にＨＦＣ−１５２ａの乱用の報告が増加し、なかでも若年成人に死をもたらすことがある。ＨＦＯ−１２３４ｚｅの乱用を報告するには早すぎるが、それが類似の多幸感／窒息の特性を、ＨＦＣの特性にもたらすと推測する、十分な根拠が存在する。結局、ＧＷＰへの寄与がわずかであるとしても、ＨＦＯ−１２３４ｚｅの環境破壊は、植物および水生生物に有害であるフルオロ酢酸を生成する。大気を破壊するＨＦＣ−１５２ａの製品の１つは、二フッ化カルボニル（ＣＯＦ２）であり、これは下層大気で加水分解してフッ化水素をもたらす。
【００２２】
[0026]このため、このようなガスの使用を避けること、および可能な場合には圧縮した気中ガスを使用することが望ましい。
[0027]本明細書で概要を説明する、バッグオンバルブおよびフリットオンバルブアセンブリの開発は、多くの利点を有し、例えば広範な用途で広範な成分を分配するために、気中ガスなどの無害なガスの使用を可能にする。
【００２３】
[0028]例えば空気、窒素、酸素、アルゴン、または二酸化炭素などの気中ガスの利益は、それらが安価であり、容易に入手可能で、毒性が低く、枯渇するなる恐れがないことから生じる。これらのガスは、ＲＥＡＣＨ規制などの規制を受けることもない。
【００２４】
[0029]残念ながら気中ガスは、エアロゾル用途のための十分な品質で提供するためには、冷蔵または大きい圧力（それぞれの臨界温度未満）を使用することなく容易に濃縮することができない。これらのガスをディスペンサ容器の中に圧縮することは、容易に可能であるが、Ａｅｒｏｓｏｌｓ  Ｄｉｒｅｃｔｉｖｅによると、キャニスタおよびその内容物を、３分間で５０℃の試験温度まで上げたときの最大許容圧力は、内容物の圧力が１５ｂａｒｇを超えないよう制限される。この制限は、キャニスタが、室温で１２ｂａｒｇを超えて充填されてはならないことを意味する。このような条件下で作動した際に、圧力は、キャニスタの内容物が放出されるときに急激に低下し、全ガス体積の送出は小さく、実現される用途数の減少および消費者受けの低下を生じさせる。
【００２５】
[0030]非限定の例によると、液化ガスを利用した標準的な芳香剤は、すでに説明した全ての欠点を伴う炭化水素、またはＨＦＣのいずれかの液化ガス推進剤に加えて、一般に成分（濃縮物）および溶媒を包含する。加えて、ディップ管の逆転から生じる製品の誤用の可能性が存在し、推進剤の不均衡な損失をもたらす。標準的な圧縮空気ベースの芳香剤は、したがって、溶解した濃縮芳香物に加えて、空気と共に圧縮された水の中に５％のエタノールを包含し得る。このようなデバイスは、短く湿った噴霧を送出する傾向にあり、このシステムは液化ガス推進剤を全く包含しないものの、やはり溶媒を包含して低い性能を呈する。
【００２６】
[0031]液化ガス包含のエアロゾル、および圧縮ガス包含のエアロゾルの両方に関して説明した欠点を考慮して、液化ガス推進剤も溶媒も包含しないエアロゾルのキャニスタが有利であると思われる。
【００２７】
[0032]バッグオンバルブ技術は、活性製品を推進剤（通常は圧縮空気もしくは窒素、または濃縮液化ガス）から分離して、製品の完全性を維持するのを可能にし、それによって純粋な製品のみが分配される一方で、これらの標準的なバッグオンバルブは、推進剤を解放しないためエアロゾル化するのではなく、噴射したときに液化製品を霧化することができる。
【００２８】
[0033]その結果、それらの使用は、例えば、粘性液体、溶液、ローション、クリーム、医薬品、ジェル、オリーブオイル、およびプロセスチーズなど他の食料製品を含む液体の分配に限定される。バッグ内に囲まれる結果として、活性成分は酸素の接触から保護されるが、さもなければ製品を損ねかねない。推進剤はバッグと缶との間に占められた空間に充填されるので、活性成分は推進剤との接触から保護される。
【００２９】
[0034]従来のバッグオンバルブのディスペンサを分離した先行技術は、申請者が所有する英国出願ＧＢ１７０３２８６．３およびＷＯ２０１４／０３７０８６などの吸着炭素技術に関する分野を含み、そこにおいて、気中推進剤ガスは、キャニスタ内（バッグとキャニスタとの間の空間）に包含された活性炭に吸着され、それは圧縮ガスのみと比較すると、バッグの内容物のより均等な分配を可能にする。従来のバッグオンバルブの装置と同様、キャニスタからガスは放出されない。
【００３０】
[0035]ＤＥ１８１７８９９は、液化ガス推進剤を含むディスペンサを開示している。霧化される液体は、キャニスタに位置されたバッグの中に包含され、二重バルブは流体のフロー循環を可能にし、この液体は、ベンチュリ管によって吸い上げられると霧化される。
【発明の概要】
【００３１】
[0036]本発明の第１の態様によると、バルブアセンブリが取り付けられ分配キャリアガスで充填されたディスペンサ容器を備えた、ディスペンサが提供され、ディスペンサは、
ｉ）取付カップ、
ｉｉ）１つまたは複数のガスケット、
ｉｉｉ）バルブシート、
ｉｖ）バネ、
ｖ）ハウジング、および
ｖｉ）ディップ管
を備え、
ディスペンサ容器は活性炭または他の吸着剤で充填され、分配する成分は成分包含リザーバに包含されること、
成分包含リザーバは、第１および第２の管を介して、ディスペンサ容器およびディップ管に動作可能に接続され、それによってバルブアセンブリが作動した際に、成分およびキャリア分配ガスは、第１の管および第２の管それぞれに沿って移動し、アクチュエータ噴霧ノズルを介してディスペンサ容器から環境または対象物へ出る前に、バルブアセンブリの中で混ざること、または
キャリア分配ガスは第２の管に沿って成分包含リザーバの中に移動し、成分を第１の管に沿って運び、そこでそれらは、アクチュエータ噴霧ノズルを介してディスペンサ容器から環境または対象物へ出る前に、バルブアセンブリの中で混ざること
を特徴とする。
【００３２】
[0037]１つの実施形態において、バルブアセンブリのディップ管は、ディスペンサ容器内に設置された第１および第２の管に分かれる。第１の管は成分包含リザーバに接続され、バルブが作動した際に成分が分配されるのを可能にする。第２の管は、圧力をかけられた分配キャリアガスが解放されたときに活性炭が管の中に通るのを防止するためのフリットまたはフィルタを備える。
【００３３】
[0038]好ましくは、成分包含リザーバはバッグまたはポーチである。
[0039]別の実施形態において、バルブアセンブリのディップ管は、第１のコネクタおよび第２のコネクタを備えた蓋を介して、成分包含リザーバまたは容器に接続される。第１のコネクタは第１の管に接続し、第１の管はバルブアセンブリを成分包含リザーバに接続し、第２のコネクタは、活性炭が管の中に通るのを防止するためのフリットまたはフィルタを備えた第２の管を、成分包含リザーバに接続する。それによって、作動した際に、圧力をかけられた分配キャリアガスが、成分を成分包含リザーバから追い出すのを可能にする。
【００３４】
[0040]本実施形態において、成分包含リザーバは、昇華性成分、または成分がその上に吸収される成分吸収材で充填された、開いた容器を備え、開いた容器は蓋によって閉じられる。
【００３５】
[0041]ディスペンサは、３本以上の管と、異なる成分を備えた少なくとも２つの成分包含リザーバとを備え得る。
[0042]ディスペンサは、さらに計量デバイスを備え得る。
【００３６】
[0043]ディスペンサは、さらにスペーサを備え得る。
[0044]ディスペンサは、好ましくは、亜酸化窒素、または空気、窒素、酸素、二酸化炭素、もしくはアルゴンなどの気中ガスである分配ガスで充填される。
【００３７】
[0045]最も好ましくは、気中ガスは二酸化炭素である。なぜなら二酸化炭素は、活性炭によって最も効率的に吸収されるガスだからである。
[0046]本発明の利益は、液化ガス推進剤および／または溶媒なしで、成分を分配することができることである。
【００３８】
[0047]活性成分は、化粧品およびパーソナルケア、薬剤、ホームケア、食料および飲料、および自動車および産業製品に使用される任意の成分を含み、詳細には、限定ではないが、芳香物、風味、フェロモン、殺虫剤、医薬、栄養補給食品、または薬剤成分を含み得る。
【００３９】
[0048]薬物および薬剤の事例において、一定の投与量が送出されること、したがってディスペンサが、計量された投与量を送出するようさらに適合されることが重要であり、ディスペンサは追加的にスペーサを備え得る。
【００４０】
[0049]本発明の第２の態様によると、本発明の第４の態様のようなバルブアセンブリを有する本発明のディスペンサから、成分を送出する方法を提供する。ここで成分は、圧力下で、分配キャリアガスと共に成分包含リザーバから解放される。バルブアセンブリが作動した際にこの分配キャリアガスも解放され、成分およびキャリアガスは、第１の管および第２の管それぞれに沿って移動し、ディスペンサから環境または対象物へ送出される前に混ざる。
【００４１】
[0050]本発明の第３の態様によると、本発明の第５の態様のようなバルブアセンブリを有する本発明のディスペンサから、成分を送出する方法を提供する。ここで成分は、圧力下で、分配キャリアガスと共に成分容器から解放され、バルブアセンブリが作動した際にこの分配キャリアガスも解放され、キャリア分配ガスは、第２の管に沿って成分容器の中に移動し、成分を第１の管に沿って運び、そこでそれらは、アクチュエータ噴霧ノズルを介してディスペンサから環境または対象物へ出る前に、バルブアセンブリの中で混ざる。
【００４２】
[0051]１つの実施形態において、混合は、バルブアセンブリにおいて効率的に始まり、その一方で別の実施形態において、混合は、キャリアガスが成分容器を通過する際に始まる。
【００４３】
[0052]本発明の第４の態様によると、ディスペンサのためのバルブアセンブリが提供され、
ｉ）取付カップ
ｉｉ）１つまたは複数のガスケット
ｉｉｉ）バルブシート
ｉｖ）バネ
ｖ）ハウジング、および
ｖｉ）ディスペンサ容器内に設置された少なくとも２本の管に分かれる、ディップ管
を備え、
ディスペンサ容器内に設置された第１の管は、成分包含リザーバに接続され、バルブが作動した際に成分が分配されるのを可能にすること、および第２の管は、圧力をかけられた分配キャリアガスが解放されたときに第２の管の中に活性炭が通るのを防止するためのフリットまたはフィルタを備えること、を特徴とする。
【００４４】
[0053]好ましい実施形態において、成分包含リザーバはバッグまたはポーチである。
[0054]本発明の第５の態様によると、ディスペンサのためのバルブアセンブリが提供され、
ｉ）取付カップ、
ｉｉ）１つまたは複数のガスケット、
ｉｉｉ）バルブシート、
ｉｖ）バネ、
ｖ）ハウジング、および
ｖｉ）ディップ管
を備え、
ディップ管は、第１のコネクタおよび第２のコネクタを備えた蓋を介して、成分包含リザーバに接続され、第１のコネクタは第１の管に接続し、第１の管はディップ管を成分包含リザーバに接続し、第２の管はフリットまたはフィルタを備え、第２の管の中に活性炭が通るのを防止し、かつ作動した際に圧力をかけられた分配キャリアガスが成分をディスペンサ容器から追い出すことを特徴とする。
【００４５】
[0055]この代替の実施形態において、成分包含リザーバは、例えば布地などの毛管作用のある材料など、成分吸収材を包含し得る。成分吸収材は、蓋によって閉じられた成分保持容器の中に保持され、成分はキャリア液の中で溶解され、吸収材によって吸収され得る。
【００４６】
[0056]代替として、成分保持容器は昇華性固体で充填され得る。
[0057]好ましくは、必須ではないが、第２の管にフリットまたはフィルタが、活性炭がディスペンサ容器内に充填される高さよりも上方に設置される。
【００４７】
[0058]全ての実施形態において、バルブアセンブリはアクチュエータをさらに備える。
[0059]さらに別の実施形態において、バルブアセンブリは、３本以上の管と、異なる成分を備えた少なくとも２つの成分包含リザーバとを備える。
【００４８】
[0060]好ましい成分は芳香物であり、製品は芳香剤である。他の好ましい成分として、脱臭剤および制汗剤、ヘアスプレー、研磨洗浄剤、および乳液が挙げられる。
[0061]特に薬剤または薬物成分の送出のための、好ましい実施形態において、バルブアセンブリは、計量デバイスおよび任意でスペーサをさらに備える。
【００４９】
[0062]本発明の第６の態様によると、本発明の第４または第５の態様によるバルブアセンブリが取り付けられた、活性炭および分配キャリアガスで充填されたディスペンサ容器を備えたディスペンサが提供される。
【００５０】
[0063]活性炭は、成分包含バッグが充填材になるのを可能にする量が加えられる。一般にこの量は、バッグのサイズに依拠して、分配容器の１５〜６５体積％、より一般には２５〜４５体積％である。
【００５１】
[0064]さらに、噴霧性能を制御するために、４〜１０ｂａｒｇ、より好ましくは６〜８ｂａｒｇの圧力が望ましい。
[0065]分配ガスおよび成分のフローも、アクチュエータのレデューサを取り付けることによって、またはバルブの絞りオリフィスを適切に選択することによって、制御され得る。実際、異なる径の管／バルブのオリフィスを使用して、成分のフロー：分配ガスのフローの比を制御することが望ましい場合がある。一般的に、液体に対する分配ガスの大きいフローは、乾燥した水煙をもたらすことになる。
【００５２】
[0066]明らかに、放出量は成分によって変化するが、多くの消費者商品にとっては、０．２〜０．５ｇ／ｓの放出量を有することが望ましい。
[0067]いくつかの事例において、小さい比率の連行剤を分配ガスと共に含むことが望ましいこともある。
【００５３】
[0068]本発明の実施形態は、添付の図面を参照して、以下でさらに詳細に説明する。
【図面の簡単な説明】
【００５４】
【図１Ａ】従来技術の、バルブアセンブリにおける雄（単一）バッグの分解組立図である。
【図１Ｂ】図１Ａのバルブアセンブリを組み立てた断面図である。
【図２Ａ】本発明によるバルブアセンブリの第１の実施形態における組立分解図である。
【図２Ｂ】図２Ａのバルブアセンブリを備えたディスペンサの、第１の実施形態における分解組立図である。
【図２Ｃ】図２Ｂのディスペンサを組み立てた側面図である。
【図２Ｄ】図２Ｂのディスペンサの断面図である。
【図２Ｅ】図２Ｄの囲まれた領域の詳細図である。
【図３】図３Ａは代替のバルブアセンブリを備えたディスペンサの、第２の実施形態における分解組立図である。  図３Ｂはディスペンサの第２の実施形態における断面図である。
【発明を実施するための形態】
【００５５】
[0069]図１を参照すると、バルブアセンブリ（１０）の一般的なバッグは、
ｉ）取付カップ（３０）、
ｉｉ）外側（４２）および内側（４４）のガスケット（４０）、
ｉｉｉ）バルブシート（５０）、
ｉｖ）バネ（６０）、
ｖ）ハウジング（７０）、ならびに、
ｖｉ）リブなどの取付具を伴い、バッグ（図示せず）が装着されたディップ管（８０）
を備える。
【００５６】
[0070]様々なアクチュエータ（２００）が、（図示のような）雄バルブまたは雌バルブであり得る、バルブアセンブリ（１０）に接続され得る。
[0071]単一のバッグ装置の変形において、Ｌｉｎｄａｌ  Ｇｒｏｕｐ（Ｂｉ−ｖａｌｖｅ）およびＴｏｙｏ  Ａｅｒｏｓｏｌ  Ｉｎｄｕｓｔｒｙ（Ｄｕａｌ）の２つの会社は、２つのバッグが充填され、２つの異なる製品を別個の製品として、またはより一般的にバルブアセンブリ内で混ぜて単一の製品として、分配可能な分配システムを開発した。後者の事例において、バルブアセンブリはディップ管（８０）を有し、ディップ管（８０）は２つに分離する／二股に分かれ、各々はバッグを接続するための取付具を伴う。バッグは一般的に３層または４層で、ポーチはそれぞれ、ポリアクリレート／アルミニウム／ポリプロピレンもしくはポリエチレン（ＰＡ／ＡＬＵ／ＰＰもしくはＰＥ）、またはポリエチレンテレフタレート／アルミニウム／配向ポリアミド／ポリプロピレンもしくはポリエチレン（ＰＥＴ／ＡＬＵ／ＯＰＡ／ＰＰもしくはＰＥ）から作られる。
【００５７】
[0072]先行技術とは対照的に、本発明の第１の態様によるバルブアセンブリ（１０）（図２Ａおよび図２Ｂに最良に示される）は、取付カップ（３０）、一対のガスケット（４２および４４）、バルブシート（５０）、バネ（６０）、およびハウジング（７０）を有し、ディップ管（８０）を伴う。ディップ管（８０）は、その下端部において分かれ、それぞれの取付具（１８２、１８４）において２本の管（８２、８４）を受け入れる。成分（１００）包含リザーバ（１１０）、またはバッグもしくはポーチ（１５０）は、第１の管（８２）に接続され、フリットまたはフィルタ（１２０）は第２の管（８４）に接続され、活性炭の細かい粒子が分配されるのを防止するよう作用する。両方の管はディスペンサ容器（９０）の中に延び、ディスペンサ容器（９０）は、一般に二酸化炭素である分配キャリアガス（１４０）で充填される。分配キャリアガス（１４０）は、ディスペンサ容器（９０）を満たすか、または部分的に満たす活性炭（１３０）によって吸着される。作動した際に、分配キャリアガス（１４０）は、バッグ（１５０）に貯蔵された成分（１００）と共に解放され、成分（１００）およびキャリアガス（１４０）は、それらがバルブアセンブリ（１０）を通過して、アクチュエータ噴霧ノズル（２００）を介してディスペンサ容器を出るときに混ざる。
【００５８】
[0073]図２Ｄに示されるディスペンサ（２０）は、活性炭（１３０）が充填されるか、または部分的に充填されるディスペンサ容器またはキャニスタ（９０）（図２Ｂ）を備え、バルブアセンブリ（１０）は、圧着または封止され、分配キャニスタ（９０）の開口部（９４）（図２Ｂ）を閉じる。ディスペンサ（２０）は、例えば参照として組み込まれている英国出願ＧＢ１７０３２８６．３で開示されているように、圧着または封止の前もしくは後に、分配キャリアガス（１４０）で詰められ得る。同様に、バッグまたはポーチ（１５０）は、圧着の前または後で、その成分（１００）で充填され得る。
【００５９】
[0074]充填されたディスペンサ（２０）は、実質的に図２Ｃおよび図２Ｄに示されるとおりである。
[0075]本発明は、例えばエッセンシャルオイル／芳香物が、高速のガスの流れとの接触により、気化／霧化によって急速に混合されるのを可能にする。
【００６０】
[0076]活性成分（１００）は、一般に液体またはオイル形態であるが、活性成分を運ぶ任意の移動相であってよい。
[0077]バッグまたはポーチ（１５０）は、一般に挿入を容易にするために、第１の管（８２）の周りに中空の円筒形（図２Ｂ）に巻かれ、隣接する第２の管（８４）およびフリット（１２０）は、粒状活性炭（１３０）が予め充填されたキャニスタの中に挿入され、第１および第２の管（８２）および（８４）は、コネクタ（１８２）および（１８４）それぞれを介してバルブアセンブリに接続される。（粒状炭素は、活性炭粒によって取り囲まれている巻き上げられたバッグを収納するために、容易に移される）。キャニスタ（９０）は次に圧着され、キャニスタのバッグ側は、必要な量の活性成分（１００）で充填される。次にバルブのフリット側は、圧力をかけられたガス（通常は空気、酸素、窒素、または二酸化炭素）で充填される。バルブが作動した際に、このアセンブリは、分配キャリアガス（１４０）が、例えば空気清浄用途の芳香物、薬物、または殺虫剤などの任意の活性成分と、少なくとも部分的に混合されるか、または物理的に飽和されるのを可能にする。分配ガスが空気または酸素である場合、呼吸するのに十分穏やかな、香りが付いた空気または酸素を提供することが可能である。バッグ（１５０）に医薬製剤（植物オイルまたはその活性物など）を充填すること、および分配ガス（１４０）を使用することは、任意で投与調整器およびスペーサが取り付けられる、医療用吸入器として使用することを可能にする。
【実施例１】
【００６１】
[0078]内容積３３０ｍｌのアルミニウムキャニスタ（９０）（１７３×５３ｍｍ）が、高活性の活性炭（１３０）（約１２０ｇ）およびドライアイス（１４０）（５７．５ｇ）で充填された。このキャニスタは、混合物を分配するために振られた。本発明の第１の態様のようなバッグオンバルブおよびフリットオンバルブアセンブリ（１０）を用い、２０ｍｌの純芳香オイル（１００）がバッグ（１５０）に加えられた。このバッグは、活性炭粒を通して操作することによってキャニスタ（９０）の中に挿入され、このキャニスタはバルブアセンブリ（１０）に圧着され、ディスペンサ（２０）を形成した。
【００６２】
[0079]ディスペンサ（２０）およびその内容物は、室温まで温められた。二酸化炭素の量は、１２ｂａｒｇの圧力を生成した。（活性炭なしで、この体積における二酸化炭素の圧力は５４ｂａｒｇと同等であり、ガス３１リットルに相当することが計算された）。
【００６３】
[0080]ディスペンサ（２０）が作動されると、ほぼ乾燥した噴霧が生じ、強く持続的な香りを生成する。デバイスが溶媒を必要としないため、芳香物は濃縮された形態にあり、相性の良い溶媒を特定する必要はない。アクチュエータ（２００）は、必要量の香り（または他の活性成分）が送出されるのを可能にする、任意の設計とすることができる。
【００６４】
[0081]代替の設計（図３Ａおよび図３Ｂ）において、バッグ（１５０）は成分包含容器（１６０）、および任意で吸収材（１７０）に置き換えられ、第１の管（８２）および第２の管（８４）それぞれに接続された、２つのコネクタ（１８２）および（１８４）を備えた蓋（１８０）を用いて閉じられる。
【００６５】
[0082]容器（１６０）は、長い管（８２）を介してバルブアセンブリ（２０）に接続され、それによって容器（１６０）は、キャニスタ（９０）の基部（９２）に向けて配設される。必須ではないが理想的には炭素（１３０）充填ライン（１３２）の上に設置された、端部にフリット（１２０）を伴う第２の管（８４）は、分配ガス（１４０）が管（８４）に沿って容器（１６０）の中に通るのを可能にし、そこで分配ガス（１４０）は、成分（１１０）を管（８２）に沿ってバルブアセンブリ（１０）の中に運び、それによってアクチュエータ噴霧ノズル（２００）を介してキャニスタ（９０）を離れることができる。容器（１６０）は、選択した液体成分（１１０）に浸した吸収パッド（１７０）を含み得る。代替として、容器（１６０）は、メントール結晶またはショウノウなどの昇華性固体を収容し得る。容器（１６０）および管（８２、８４）は、キャニスタ（９０）の中に挿入され、バルブアセンブリ（１０）に接続されて、粒状活性炭（１３０）で予め充填される。キャニスタ（９０）は、気中ガス（１４０）（限定ではないが好ましくは二酸化炭素）を用い、取付カップ（３０）の下でガスで満たす。次に取付カップ（３０）は、キャニスタ（９０）上に圧着される。バルブが作動した際に、このアセンブリは、ガスを芳香物または他の成分で飽和させることを可能にし、次にそれは、溶媒も液化ガス推進剤も伴わずに、部屋または対象物に分配される。
【００６６】
[0083]このアセンブリは、芳香物または他の成分の蒸気を拡散させ、活性炭に接触する可能性があるが、以下の例は、例えばリモネンなどの拡散は非常に限られたものであることを示す。
【実施例２】
【００６７】
[0084]例としてリモネン（分子量＝１３６．２ｇ／ｍｏｌ、沸点＝１７６℃）を使用する。２５℃における飽和蒸気圧は２ｍｍＨｇである。
[0085]５気圧（５．０７ｂａｒ）の平均缶圧力において、リモネン蒸気の濃度は、
[0086]７６０×２／５＝５．３Ｅ−４→５．３Ｅ−４×１３６．２ｇ／ｍｏｌ＝０．０７２ｇ  ｌｉｍｏｎｅｎｅ／ｍｏｌ  ｇａｓ＝０．０７２／２４＝３．０Ｅ−３ｇ  ｌｉｍｏｎｅｎｅ／ｌｉｔｒｅ  ｏｆ  ｇａｓ＝３ｇ  ｌｉｍｏｎｅｎｅ／ｍ３  ｏｆ  ｇａｓである。
【００６８】
[0087]フィックの法則を適用すると、Ｆ＝ＤＡΔｃ／Ｌ
[0088]ここで、Ｆ＝拡散流量、Ｄ＝拡散係数、Ａ＝管の断面積（径＝４ｍｍ）、ｃ＝蒸気濃度、Ｌ＝管の長さ（１０ｃｍ）である。
【００６９】
[0089]したがって、Ｆ＝１×１０−７ｍ２ｓ−１×１２．６×１０−６ｍ２×３ｇ／ｍ３×１／０．１ｍ＝３．６×１０−１１ｇ／ｓ＝０．００１ｇ／ｙｅａｒである。
[0090]これらの条件下における活性炭上のリモネンの拡散量は、したがって０．００１ｇ／ｙｅａｒのみである。
【図１Ａ】
2021533048.tif 000003
【図１Ｂ】
2021533048.tif 000004
【図２Ａ】
2021533048.tif 000005
【図２Ｂ】
2021533048.tif 000006
【図２Ｃ】
2021533048.tif 000007
【図２Ｄ】
2021533048.tif 000008
【図２Ｅ】
2021533048.tif 000009
【図３Ａ】
2021533048.tif 000010
【図３Ｂ】
2021533048.tif 000011
【国際調査報告】
2021533048.tif 000012
2021533048.tif 000013
2021533048.tif 000014
2021533048.tif 000015